(57)【要約】【課題】  光ピックアップに設けた半導体レーザを光源に用いて記録再生を行う光ディスク装置において、装置内部の発熱による光ピックアップの温度上昇を低減する。【解決手段】  光ディスク装置５０は、光学ディスクを回転するスピンドルモータ５を有している。光ピックアップ７が光学ディスクとの間で情報を記録再生し、ガイド軸６が光ピックアップを光学ディスクの半径方向に案内する。光学ディスクは、ディスクトレー３により搬送される。ディスクトレーと光ピックアップ７等は、筐体１に収容される。筐体内には、光ディスク装置の作動状態で相変化する蓄熱手段１０が配置されている。【選択図】  図１
2006048778.tif 000002
【特許請求の範囲】
【請求項１】
光学ディスクを記録/再生する光ディスク装置において、光学ディスクを回転するディスク回転手段と、光学ディスクとの間で情報を読み書きする光ピックアップと、光学ディスクを取り出し可能にするディスクトレーと、これらディスク回転手段と光ピックアップとディスクトレーとを収容する筐体とを備え、この筐体に筐体内部で発生する熱を蓄熱可能でかつ装置が作動状態で相変化する蓄熱手段を設けたことを特徴とする光ディスク装置。
【請求項２】
前記蓄熱手段は、蓄熱材を内部に収容しており、この蓄熱材の融点が前記光ピックアップで発生する熱により温度上昇させられた筐体内部の空気温度よりも低いことを特徴とする請求項１に記載の光ディスク装置。
【請求項３】
前記蓄熱材の融点が６０℃以上７０℃以下であることを特徴とする請求項２に記載の光ディスク装置。
【請求項４】
前記蓄熱手段を筐体の裏面側であってディスクトレーの光学ディスク取り出し方向の奥側に配置したことを特徴とする請求項１に記載の光ディスク装置。
【請求項５】
前記蓄熱手段をディスクトレー内部に形成した空間に保持したことを特徴とする請求項１に記載の光ディスク装置。
【請求項６】
前記蓄熱手段を、ディスクトレーに光学ディスクが載せられたときに半径方向外側方向にあたる位置に配置し、前記光ピックアップを筐体に対し斜め方向に移動可能に設けた薄型の請求項１に記載の光ディスク装置。
【請求項７】
光学ディスクを記録/再生する光ディスク装置において、光学ディスクを回転するディスク回転手段と、光学ディスクとの間で情報を記録あるいは再生する光ピックアップと、この光ピックアップを光学ディスクの半径方向に案内する案内手段と、光学ディスクを載置し装置内に搬送するディスク搬送手段と、ディスク搬送手段と光ピックアップとディスク回転手段と案内手段とを収容する筐体とを備え、この筐体内に相変化する蓄熱材を設けたことを特徴とする光ディスク装置。
【請求項８】
前記筐体に蓄熱材を接触して設けたことを特徴とする請求項７に記載の光ディスク装置。
【請求項９】
前記ディスク回転手段と案内手段とを取り付けたベース手段を設け、このベース手段とディスク搬送手段と案内手段との少なくともいずれかに接触して蓄熱材を設けたことを特徴とする請求項７に記載の光ディスク装置。
【請求項１０】
前記筐体の一部が蓄熱材であることを特徴とする請求項7に記載の光ディスク装置。
【請求項１１】
前記蓄熱材の融点が６０℃〜７０℃であることを特徴とする請求項７に記載の光ディスク装置。
【発明の詳細な説明】
【技術分野】
【０００１】
本発明は、光によってデータを記録あるいは再生する光ディスク装置およびそれに用いる光ピックアップに関する。
【背景技術】
【０００２】
従来の光ディスク装置における冷却の例が、特許文献１に記載されている。この公報に記載の光ディスク装置では駆動時に発生する熱により光ディスクが反るのを防止するために、シャーシに伝熱的に密着させたヒートパイプにより駆動部で発生した熱を吸収している。また、カートリッジケースの上部に近接配置したヒートコレクタで収集した熱を、密着配置したヒートパイプで吸熱している。このヒートパイプで吸熱した熱をヒートシンクに送り、筐体外へ放熱している。
【０００３】
従来の記録再生装置の冷却の他の例が、特許文献２に記載されている。この公報に記載の光ディスク装置では短時間で半導体レーザを冷却するために、光ピックアップ装置を記録再生中に退避位置に移動させ、光ピックアップ装置のハウジングとメインシャーシに取り付けられた炭素シートとを面接触させている。これにより、半導体レーザとメインシャーシを熱的に結合させ、半導体レーザを冷却している。
【０００４】
【特許文献１】特開平４−２５４９８３号公報
【０００５】
【特許文献２】特開２００３−３４６３７１号公報
【発明の開示】
【発明が解決しようとする課題】
【０００６】
上記特許文献１に記載の光ディスク装置では、ヒートパイプを冷却に使用している。ヒートパイプは冷却される物が静止物のときには冷却効果が高い。しかし、シーク動作時等においてディスクの半径方向に高速に移動する光ピックアップでは熱の移動が制限され、単にヒートパイプを適用しただけでは十分な冷却効果が得られない。
【０００７】
また、特許文献２に記載の記録再生装置では、光ピックアップの退避位置に熱伝導部材を設けているので、光ピックアップを熱伝導部材まで移動させて接触させるから光ピックアップの駆動力を増加させる必要が生じる。さらに、熱伝導部材で効率的に冷却するには、熱の移動方向に垂直な方向の熱伝導部材の断面積を大きくする必要がある。しかし、断面積を大きくすればするほど熱伝導部材の弾性が大きくなり、光ピックアップの駆動力をさらに増大させる必要が生じる。
【０００８】
本発明は上記従来技術の不具合に鑑みなされたものであり、その目的は高速で移動する光ピックアップ装置内部の発熱による温度上昇を低減することにある。
【課題を解決するための手段】
【０００９】
上記目的を達成する本発明の特徴は、光学ディスクを記録/再生する光ディスク装置において、ディスクを回転するディスク回転手段と、光学ディスクとの間で情報を読み書きする光ピックアップと、光学ディスクを取り出し可能にするディスクトレーと、これらディスク回転手段と光ピックアップとディスクトレーとを収容する筐体とを備え、この筐体に筐体内部で発生する熱を蓄熱可能でかつ装置が作動状態で相変化する蓄熱手段を設けたものである。
【００１０】
そしてこの特徴において、好ましくは蓄熱手段は、蓄熱材を内部に収容しており、この蓄熱材の融点が光ピックアップで発生する熱により温度上昇させられた筐体内部の空気温度よりも低く、さらに好ましくはその融点が６０℃以上７０℃以下である。またこの特徴において、蓄熱手段を筐体の裏面側であってディスクトレーの光学ディスク取り出し方向の奥側に配置するか、ディスクトレー内部に形成した空間に保持するか、蓄熱手段を、ディスクトレーに光学ディスクが載せられたときに半径方向外側方向にあたる位置に配置するのがよい。なお、この最後のものは、光ピックアップを筐体に対し斜め方向に移動可能に設けた薄型の光ディスク装置に好適である。
【００１１】
上記目的を達成する本発明の他の特徴は、光学ディスクを記録/再生する光ディスク装置において、光学ディスクを回転するディスク回転手段と、光学ディスクとの間で情報を記録あるいは再生する光ピックアップと、この光ピックアップを光学ディスクの半径方向に案内する案内手段と、光学ディスクを載置し装置内に搬送するディスク搬送手段と、ディスク搬送手段と光ピックアップとディスク回転手段と案内手段とを収容する筐体とを備え、この筐体内に相変化する蓄熱材を設けたものである。
【００１２】
そしてこの特徴において、筐体に蓄熱材を接触して設けるか、ディスク回転手段と案内手段とを取り付けたベース手段を設け、このベース手段とディスク搬送手段と案内手段との少なくともいずれかに接触して蓄熱材を設けるのがよい。また、筐体の一部を蓄熱材としてもよい。なお、これらのいずれにおいても、蓄熱材の融点が６０℃〜７０℃であることが望ましい。
【発明の効果】
【００１３】
本発明によれば、光ディスク装置において、筐体の内部あるいは筐体の一部に蓄熱材を設けて光ディスク装置の発熱を顕熱と潜熱として蓄熱材に吸熱したので、光ピックアップ装置内部の発熱による温度上昇を低減できる。
【発明を実施するための最良の形態】
【００１４】
光ディスク装置では、光学ディスク（以下単にディスクとも称す）に記録されたデータの再生あるいはディスクにデータを記録する手段として、光ピックアップに設けたレーザ光源（半導体レーザ）を用いる。その際、高密度化等の要請から回転速度が高まる傾向にある。高速で回転するディスクに安定して記録あるいは再生するには、半導体レーザの出力を高出力化しなければならない。半導体レーザを高出力で動作させると半導体レーザ自身の消費電力が増大し、発熱量が増加する。
【００１５】
半導体レーザの特性から、温度が上昇すればするほどレーザ光の発生効率が低下する。また、温度が上昇すればするほど半導体レーザの寿命も指数関数的に短くなる。したがって、記録あるいは再生の速度を上げると半導体レーザの温度上昇が増し、劣化しやすくなる。
【００１６】
一方、ディスクの回転速度を増すと、ディスク回転用モータの消費電力が増える。特に、ディスクの回転によって生じる流れの粘性抵抗は、高回転速度になればなるほど大きくなる。これは、消費電力の増大に導く。ディスク回転用モータで消費された電力は、最終的に光ディスク装置内部の熱になり、装置内部の温度を上昇させる。これにより、半導体レーザ部の温度上昇はさらに大きくなる。
【００１７】
そこで本発明では、高速でディスクを回転駆動する光ディスク装置内部で発生した熱を蓄熱材の相変化を利用して効果的に吸熱して、半導体レーザの温度上昇を低減している。以下、本発明に係る光ディスク装置のいくつかの実施例を、図面を用いて説明する。
【００１８】
図１に光ディスク装置５０の一実施例の側面図を、カバー部を取り去って模式的に示す。図２に、図１に示した光ディスク装置５０の上面図を示す。ディスク２は光ディスク装置５０の奥行き方向に移動可能なディスクトレー３に載置され、光ディスク装置５０の筐体１内に導かれる。筐体１内に持ち込まれたディスク２は、スピンドルモータ５で回転駆動される。
【００１９】
筐体１の奥側であって筐体１内に持ち込まれたディスク２の下面側には、光ピックアップ７が配置されている。光ピックアップ７の幅方向両側はガイド軸６により奥行き方向に移動可能に保持されている。ガイド軸６およびスピンドルモータ５は図示を省略した支持部材を介して、メカシャーシ４に保持されている。なお、光ピックアップ７の移動範囲に対応して、ディスクトレー３には穴が形成されている。筐体１の上側の裏面に、この光ディスク装置５０を定格もしくは定格以下で駆動したときに相変化する蓄熱材を内部に収容した蓄熱手段１０を接触して取り付けている。この蓄熱手段１０は、ディスクトレー３に対向している。
【００２０】
このように構成した光ディスク装置５０では、ディスクトレー３を引き出して記録再生媒体であるディスク２をディスクトレー３の所定位置に載置し、光ディスク装置５０の内部に搬送すると、ディスク２はスピンドルモータ５の回転軸に図示しない手段により装着される。ついで、スピンドルモータ５が回転し、ディスク２が回転駆動される。それとともに、光ピックアップ７がガイド軸６により案内されて、ディスク２のほぼ半径方向に移動する。光ピックアップ７は、図示しないトラッキングコイルやフォーカシングコイルによりディスク２に対して位置決めされ、ディスク２から情報を読み出すまたはディスク２に情報を書き込む。これにより、ディスク２に対して情報を記録または再生する。
【００２１】
光ディスク装置５０のディスクトレー３にディスク１を載置してスピンドルモータ５で駆動するときは、筐体１はほぼ密閉状態になる。このとき、筐体１内部で発生した熱は、図１２に示す経路で光ディスク装置５０の周囲に放熱される。レーザ光を発生する光ピックアップ７は、最も多量の熱を発生する。この光ピックアップ７で発生した熱の一部は、ガイド軸６を介してメカシャーシ４に放熱される。熱の残りの大部分は、光ディスク装置５０内部にある空気３０に放熱される。
【００２２】
メカシャーシ４に伝えられた熱のさらに一部は、筐体１に放熱される。メカシャーシ４に伝えられた熱の残りは、筐体１内部の空気３０に放熱される。そして、筐体１内部の空気３０に伝わった熱はすべて筐体１に放熱され、最終的に筐体１の熱として光ディスク装置５０の周囲に放熱される。すなわち、光ディスク装置５０の内部で発生した熱はすべて、筐体１を通して光ディスク装置５０の周囲に放熱されることになる。
【００２３】
このような放熱経路を考慮すると、光ピックアップ７で発生する熱量がたとえ変化しなくとも、筐体１の温度を下げれば、光ピックアップ７の温度を下げることが可能になる。そこで本実施例では、光ピックアップ７の温度を所定温度以下にするために、筐体１内の空気３０および筐体１から直接吸熱する蓄熱手段１０を設けている。そしてこの蓄熱手段１０の有する蓄熱材として、相変化する蓄熱材を選定する。蓄熱材が相変化することにより、吸熱能力が向上する。したがって、蓄熱材は光ピックアップ７の温度以下の融点を有することが必須となる。蓄熱手段１０の蓄熱材が融解すると、融解中の筐体１の温度はほぼ一定に保たれ、結果として、光ピックアップ７の温度が所定温度以下に保持される。
【００２４】
なお、上記実施例では蓄熱手段１０をディスクトレー３に対してディスク２側の筐体１内面に１個だけ設けた例を示しているが、同一面に複数個の蓄熱手段設けてもよい。筐体１の複数の表面または裏面に、各々複数個の蓄熱材を設けてもよい。上記実施例ではでは、蓄熱材としてパラフィン系の蓄熱材を用いているが、パラフィン系に限らずこの光ピックアップの作動温度、ほぼ６０℃以上７０℃以下で相変化する材料を用いると、材料が融解する際に筐体または周囲空気から熱を奪うことができる。
【００２５】
図３及び図４に、薄型の光ディスク装置５５に蓄熱手段１０を取り付けた例を示す。薄型の光ディスク装置５５は、装置厚さが約１２．７ｍｍ（１／２インチ）または約９．５ｍｍ（３／８インチ）の規格の光ディスク装置である。図３（ａ）は薄型光ディスク装置３５の分解斜視図であり、同図（ｂ）は筐体１の一部であるトップカバー２０の部分断面図である。同様に図４（ａ）は薄型光ディスク５５の分解斜視図であり、同図（ｂ）は筐体１の一部であるボトムカバー２１の上面図である。図３においては、蓄熱手段１０をボトムカバー２１とトップカバー２０の幅方向一方端側に接触して取り付けている。一方、図４においてはボトムカバー２１のみに蓄熱手段１０を設けている。
【００２６】
薄型光ディスク装置５５は、通常の光ディスク装置５０のようにディスク２および光ピックアップ７の駆動系を配置するスペースがない。そこで、薄型の光ディスク装置５５では、光ピックアップ７をディスク２の取り出し方向から傾けて駆動する。それに伴い、発熱部も斜め方向に移動する。
【００２７】
このように形成した薄型光ディスク装置５５では、図３に示すように蓄熱手段１０をディスク２を挟むように配置するか、図４に示すようにディスクの配置部よりも半径方向外側のスペースに蓄熱手段１０を配置して、薄型光ディスク装置５５の限られたスペースを有効に活用している。これにより、薄型光ディスク５５の大型化を回避するとともに、光ディスク装置５５の内部に配置した各部品の動作を妨げることなく、光ピックアップ７の温度を所定温度以下に保持している。
【００２８】
なお、図４に示したように蓄熱手段１０を配置すると、ディスク２の熱変形等の理由によりディスク２が所定位置からはずれた位置で回転してもディスク２と蓄熱手段１０が接触しないので、薄型光ディスク装置５５の信頼性を損なうことがない。蓄熱手段１０が有する蓄熱材としては、融点が光ピックアップ７の使用温度範囲内である、例えばパラフィンや酢酸ナトリウム水和物を用いる。蓄熱材の使用量は、次式により定める。
【００２９】
記録型ＤＶＤの一種であるＤＶＤ−Ｒに１６倍速相当の速度で記録する場合、ディスク１枚あたりの記録時間は約６分である。記録時の光ディスク装置５５の発熱量が５Ｗであると仮定すると、ディスク記録４枚分の発熱を全て、潜熱量が２００Ｊ／ｇの蓄熱材に吸熱させるのに必要な蓄熱材の量は、
５Ｗ×６分×４枚×６０÷２００Ｊ／ｇ＝３６ｇ  ・・・（式１）
となる。
【００３０】
光ディスク装置５０を模擬した試験装置に、蓄熱手段１０を設けて試験した結果を図１３に示す。図１３には、蓄熱手段１０を設けない場合と、パラフィン系の蓄熱材を収容した蓄熱手段１０を筐体表面に設けた場合の２通りについて試験した結果を示す。横軸は光ピックアップ７を動作させてからの経過時間であり、縦軸は光ピックアップ７の温度と模擬光ディスク装置の周囲温度（ここでは大気温）との温度差である。本試験結果によれば、蓄熱手段を設けると、光ピックアップ７の温度上昇を約６℃低下させることができる。本試験により、蓄熱手段を光ディスク装置５０の筐体１に取り付けると、光ピックアップ７の温度を下げるのに有効であることが判明した。
【００３１】
図５に、本発明に係る光ディスク装置の他の実施例の縦断面図を、図６にその上面図を示す。本実施例が図１に示した実施例と相違するのは、蓄熱手段１０をディスクトレー３の内部に設けて、ディスクトレー３を吸熱源として用いたことにある。それ以外は図１に示す実施例と同じである。
【００３２】
ディスクトレー３の内部に設けた蓄熱手段１０が、光ピックアップ７の発熱を潜熱として吸熱すると、蓄熱手段１０の温度はほぼ一定に保たれる。したがって、蓄熱手段の融点を光ディスク装置５０内部の空気（周囲空気）温度よりも低くすると、ディスクトレー３が低温熱源として作用し、周囲空気から吸熱して周囲空気温度を低下させる。本実施例では、蓄熱手段１０を直接ディスクトレー３内に封入して蓄熱効果を高めている。
【００３３】
ディスク２の回転速度が増加すると、ディスク２の回転により誘起されるディスク２の周囲空気の流束が大きくなる。これにより、ディスクトレー３の表面で対流が促進され、熱伝達率が増大する。つまり、ディスク２の回転速度が増加するにつれて、ディスクトレー３の温度と光ディスク装置５０の内部の温度との温度差が減少する。本実施例ではディスクトレー３を吸熱源としているので、蓄熱手段１０の融点が同じであれば、ディスク２の回転速度が高速になればなるほど、周囲空気の温度が低下する。
【００３４】
なお、蓄熱手段１０に蓄えられた熱は、ディスクトレー３引出しごとに光ディスク装置５０外に放熱される。さらに、ディスク２を交換する等のために、ディスクトレー３を引き出せば、ディスクトレー３は光ディスク装置５０の外部の周囲空気に曝される。このとき、光ディスク装置５０の周囲の温度は光ディスク装置５０の内部の温度より低いので、光ディスク装置５０の内部の空気がディスクトレー３の引き出し動作とともに光ディスク装置５０外部に吐き出される。そして、より低温の外部空気が光ディスク装置５０内にもたらされ、光ディスク装置５０内部の空気温度が低下する。ディスク２の回転速度が増し、記録あるいは再生の速度が増大するほど、ディスク２の交換の頻度が増える傾向にあるから、ディスク２交換による放熱の効果が増大する。
【００３５】
この図５に示した実施例の変形例を、図７に示す。本変形例では、ディスクトレー３の内部に蓄熱手段１０を設ける代わりに、蓄熱手段１０をディスクトレー３の下側表面に接触して設けている。本変形例によれば、ディスクトレー３として通常用いられているものを使用できるので、構造が簡単になる。ただし、ディスクトレー３を引き出す必要があるので、ディスクトレー３の下面側引出し口には十分なスペースを形成する必要がある。なお、上記実施例および変形例では、光ディスク装置５０内に蓄熱手段１０を１つだけ設けているが、蓄熱手段１０を複数個設けてもよいことは言うまでもない。
【００３６】
蓄熱手段１０を光ディスク装置５０の内部に設けた他の例を、図８および図９に示す。図８（ａ）は、光ディスク装置５０の縦断面図であり、同図（ｂ）はこの光ディスク装置５０に用いる蓄熱手段１０の正面図、同図（ｃ）はその側面図である。本実施例では、蓄熱手段１０をガイド軸６の内部に設けている。これ以外は、図１に示す実施例と同様である。図１２に示したように、光ピックアップ７で発生した熱はガイド軸６にも伝達される。そこで、ガイド軸６の温度を下げて、光ピックアップ７の温度を低下させる。中空軸に形成したガイド軸６の内部に蓄熱手段１０としての蓄熱材を封入する。光ディスク装置の作動時には、光ピックアップ７および周囲空気から蓄熱手段１０が吸熱し、非動作時に放熱する。光ピックアップ７の動作温度より低温で融解する蓄熱材を用いれば、相変化により吸熱できる。
【００３７】
メカシャーシ４の裏面であって光ディスク装置５０の手前側に蓄熱手段１０を設けた例を、図９に示す。図９は、光ディスク装置５０の縦断面図である。図１２に示したように、光ピックアップ７で発生した熱の一部は、ガイド軸６を介してメカシャーシ４に伝達される。そこでメカシャーシ４の温度を下げて、ガイド軸６の温度を低下させる。本実施例では、比較的スペースに余裕のある手前側の裏面を吸熱面に利用している。
【００３８】
図１０および図１１に、筐体１の上部を吸熱および放熱に利用する例を示す。図１０は光ディスク装置５０の縦断面図であり、図１１はその上面図である。筐体１の上面は、コンピュータ装置に組み込んでも光ディスク装置を使用できるように、突起状に形成することは避けなければならない。そのため、本実施例では光ディスク装置５０の内部から光ディスク装置５０外部に貫通する開口を複数個形成し、この開口に蓄熱手段１０を挿入している。筐体１の上面側を平面に保つように、筐体１の上側の表面に開口部を覆うシール１１ａを接触して設けている。さらに、開口が形成された板部材の裏面側にも、開口を覆うシール１１ｂを接触して設けている。
【００３９】
本実施例によれば、筐体１の一部を蓄熱手段１０用に利用しているので、光ディスク装置５０内部の空間が蓄熱手段１０により狭められることがなく、小型の光ディスク装置のように、装置内部に新たに部品を配置することが困難な場合にも、蓄熱手段１０により効率的に蓄熱および放熱を繰り返すことができる。これにより、光ピックアップ７で発生する熱を一時的に蓄熱手段１０に蓄えて光ピックアップ７の温度を低下させることができ、光ピックアップ７の信頼性を向上できる。
【００４０】
なお、筐体１に形成した開口をシール１１ａ、１１ｂで覆っているので、蓄熱手段１０が融解して液状になっても、光ディスク装置５０の内外へ漏洩するのを防止できる。このため、蓄熱手段１０を個別に容器等に封入しなくてもよく、組み立て作業性が向上する。本実施例では、開口の形状を円形としたが、円形以外の他の形状であってもよい。また、蓄熱手段を配置する面は光ディスク装置の上面に限らず、底面や側面であってもよい。ただし、上面の場合が最も効果が得られる。
【００４１】
上記各実施例では、光ピックアップで発生する熱を吸熱または蓄熱することを説明したが、筐体内にある他の部品からの発熱を吸熱または蓄熱できることは当然である。たとえば、各種半導体等からも熱が発生するが、これらも光ピックアップで発生する熱と同様の経路から蓄熱手段に吸収できる。また上記各実施例では、蓄熱材としてパラフィン系の材料を取り上げて説明したが、蓄熱材としてはパラフィン系に限らず光ピックアップの動作温度以下で相変化するものであれば、使用可能である。ただし、相変化により大幅に体積変化するものを用いるときには、体積変化に対応できるように蓄熱手段を構成する必要がある。
【図面の簡単な説明】
【００４２】
【図１】本発明に係る光ディスク装置の一実施例の縦断面図である。
【図２】図１に示した光ディスク装置の上面図である。
【図３】本発明に係る光ディスク装置の他の実施例の斜視図および部分縦断面図である。
【図４】本発明に係る光ディスク装置のさらに他の実施例の斜視図及び部分横断面図である。
【図５】本発明に係る光ディスク装置のさらに他の実施例の縦断面図ある。
【図６】本発明に係る光ディスク装置のさらに他の実施例の上面図である。
【図７】本発明に係る光ディスク装置のさらに他の実施例の縦断面図である。
【図８】本発明に係る光ディスク装置のさらに他の実施例の縦断面図および蓄熱材部の側面図と正面図である。
【図９】本発明に係る光ディスク装置のさらに他の実施例の縦断面図である。
【図１０】本発明に係る光ディスク装置のさらに他の実施例の縦断面図である。
【図１１】図１０に示した光ディスク装置の上面図である。
【図１２】光ディスク装置の放熱経路を説明する図である。
【図１３】蓄熱材の性能を説明するグラフである。
【符号の説明】
【００４３】
１…筐体、２…（光学）ディスク、３…ディスクトレー、４…メカシャーシ、５…スピンドルモータ、６…ガイド軸、７…光ピックアップ、１０…蓄熱手段、１１…シール、５０…光ディスク装置。
【図１】
2006048778.tif 000003
【図２】
2006048778.tif 000004
【図３】
2006048778.tif 000005
【図４】
2006048778.tif 000006
【図５】
2006048778.tif 000007
【図６】
2006048778.tif 000008
【図７】
2006048778.tif 000009
【図８】
2006048778.tif 000010
【図９】
2006048778.tif 000011
【図１０】
2006048778.tif 000012
【図１１】
2006048778.tif 000013
【図１２】
2006048778.tif 000014
【図１３】
2006048778.tif 000015